(57)【要約】【課題】  従来の手提げ袋には、収納袋が、１ヵ所しかなかったため、収納物品が乱雑なりがちであり、また、デザイン作り面も、１枚面であったため、デザインが平面的であったゆえに、収納と複数のデザイン作り面を兼ね備えた、四面内袋付手提げ袋を作る方法を提供する【解決手段】  従来の手提げ袋を作る図面の開口部折り面１と袋面２の間に、その袋面２の縦辺以下の長さをもつ内袋後面３と、その内袋後面３の縦辺以下の長さをもつ内袋前面４を下と上に配置し、図面内側より、１と３と４を重ね合わせ、その重ね合わせた３と４の縦辺、７ａと８ａ、７ｂと８ｂ、７ｃと８ｃ  ７ｄと８ｄを、重ね合わせた１の縦辺と共に固定し、そして、固定した１と３と４を、２に重ね合わせ、重ね合わせたまま、従来の袋面折りを行い、各面のつなぎ面１０と各面の側面１１を、重ね合わせ固定した作り方を特徴とする。【選択図】図１
2007313277.tif 000002
【特許請求の範囲】
【請求項１】
（イ）、従来の手提げ袋を作る図面の、開口部折り面１と袋面２の間に、その袋面２の縦辺以下の長さをもつ内袋後面３と、その内袋後面３の縦辺以下の長さをもつ内袋前面４を下と上に配置した図面を作る。
（ロ）、次に、図面内面より、横辺５を手前に山折りし、開口部折り面１を、内袋前面４に重ね合わせる。次に、横辺６を後ろに山折りし、重ね合わせた開口部折り面１と内袋前面４を、内袋後面３に重ね合わせる。そして、重ね合った内袋後面３の縦辺と内袋前面４の縦辺、７ａと８ａ、７ｂと８ｂ、７ｃと８ｃ、７ｄと８ｄを、重ね合った開口部折り面１の縦辺と共に固定する。
（ハ）、次に、横辺９を手前に山折りし、縦辺を共に固定した開口部折り面１と内袋前面４と内袋後面３を、袋面２に重ね合わせる。そして、重ね合わせた状態で、従来の袋面折りを行う。次に、各面のつなぎ面１０と各面の側面１１を、各面どうし重ね合わせ固定する。その他は、従来通りの方法で行なう
以上の構成よりなる、四面内袋付手提げ袋を作る方法
【発明の詳細な説明】
【発明の分野】
【０００１】  この発明は、従来の手提げ袋を作る図面の、開口部折り面と袋面の間に、内袋後面と内袋前面を配置し、開口部折り面と内袋前面と内袋後面を重ね合わせ、それらの縦辺を共に固定した。四面内袋付手提げ袋を作る方法に関するものである。
【背景技術】
【０００２】  従来の手提げ袋の、収納場所は、１ヵ所であった。ゆえに、収納物品が、乱雑になりがちであった。また、袋面が、１枚であるため１枚の面上で、えがかれたデザイン作りが多かった。
【発明が解決しようとする課題】
【０００３】  これには、次のような欠点があった。
手提げ袋の収納場所が、１ヵ所であったため、収納物品が、乱雑になりがちであった。また、袋面が、１枚であるため、１枚の面上でしか、デザイン作りができなかった。このため、デザイン作りが、平面的であった。
本発明は、以上のような欠点をなくすためになされたものである。
【課題を解決するための手段】
【０００４】  （イ）、従来の手提げ袋を作る図面の、開口部折り面１と袋面２の間に、その袋面２の縦辺以下の長さをもつ内袋後面３と、その内袋後面３の縦辺以下の長さをもつ内袋前面４を、下と上に配置した図面を作る。
（ロ）、次に、図面内面より、横辺５を手前に山折りし、開口部折り面１を、内袋前面４に重ね合わせる。次に、横辺６を後ろに山折りし、重ね合わせた開口部折り面１と内袋前面４を、内袋後面３に重ね合わせる。そして、重ね合った内袋後面３の縦辺と内袋前面４の縦辺、７ａと８ａ、７ｂと８ｂ、７ｃと８ｃ、７ｄと８ｄを、重ね合った開口部折り面１の縦辺と共に固定する。
（ハ）、次に、横辺９を手前に山折りし、縦辺を共に固定した開口部折り面１と内袋前面４と内袋後面３を、袋面２に重ね合わせる。そして、重ね合わせた状態で、従来の袋面折りを行う。次に、各面のつなぎ面１０と各面の側面１１を、各面どうし重ね合わせ固定する。その他は、従来通りの方法で行う。
本発明は、以上の構成よりなる、四面内袋付手提げ袋を作る方法である。
【発明の効果】
【０００５】  （イ）、四面内袋により、収納物品が整理しやすくなるため、乱雑防止ができ、出し入れがスムーズになり、それに伴い、収納スペースが広がり、収納量の増加にもつながる。
（ロ）、袋面２と内袋後面３とその間に、デザイン作りができるため、多種多様の立体的デザイン作りが、可能となり、ファション性が高められ、購買欲の刺激につながる。
（ハ）、縦辺固定により、四面内袋の開口部が作れるため、収納物品と、安定した形で収納できる
（ニ）、四面内袋には、横幅、底幅がないため、袋面２に重なり合う様に作れる。従って四面内袋付手提げ袋の、内腔が狭くならず、且つ、内袋が、邪魔にならない。
（ホ）、重ね合った開口部折り面１の縦辺を共に固定するため、開口部折り面１を、別に接着剤等で固定する手間、時間が、はぶかれる。
（ヘ）、四面内袋開口部前面（内袋後面４）に、開口部折り面１を重ね合わせるため、四面内袋開口部の切れ面がなくなり、且つ、四面内袋付手提げ袋の開口部には、開口部折り面がないため、切れ面、折り面に、内袋の収納物品が引っかかったり、狭まったりせず、また、手を傷つける事もないため、安全、且つ、スムーズに物品の出し入れができる。
（ト）、収納物品は、内側に入れる事が多いため、四面内袋の活用度も高い、従って、実用性の高い手提げ袋である。
【発明を実施するための最良形態】
【０００６】  以下、本発明の実施をするための最良の形態について説明する。
（イ）、従来の手提げ袋を作る図面の、開口部折り面１と袋面２の間に、その袋面２の縦辺以下の長さをもつ内袋後面３と、その内袋後面３の縦辺以下の長さをもつ内袋前面４を、下と上に配置した図面を作る。
（ロ）、次に、図面内面より、横辺５を手前に山折りし、開口部折り面１を、内袋前面４に重ね合わせる。次に、横辺６を後ろに山折りし、重ね合わせた開口部折り面１と内袋前面４を、内袋後面３に重ね合わせる。そして、重ね合った内袋後面３の縦辺と内袋前面４の縦辺、７ａと８ａ、７ｂと８ｂ、７ｃと８ｃ、７ｄと８ｄを、重ね合った開口部折り面１の縦辺上部より共に、狭み固定する。
（ハ）、次に、横辺９を手前に山折りし、縦辺を共に固定した開口部折り面１と内袋前面４と内袋後面３を、袋面２に重ね合わせる。（袋面２に接着剤等で固定も可）。そして、重ね合わせた状態で、従来の袋面折りを行う。次に、各面のつなぎ面１０と各面の側面１１を各面どうし重ね合わせ、接着剤等で固定する。その他は、従来通りの方法で行う。
本発明は、以上のような構造で、これを使用する時は、収納物品を、用途別、種類別等に整理でき、且つ、安全に、物品を傷つけず、スムーズに出し入れができる。また、袋面２と内袋後面３とその間に、デザイン作りができる。
【０００７】  図面の変形例として、各面の側面１１の横に、各面のつなぎ面１０が位置する場合、共に固定する縦辺は、７ｂと８ｂ、７ｃと８ｃ、７ｄと８ｄ、そして、７ｄの図面左側の縦辺と８ｄの図面左側の縦辺を、開口部折り面１の縦辺と共に固定する。
【０００８】  図面の変形例として、開口部折り面１が配置されていない図面の場合、共に固定する縦辺は、〔０００４〕、〔０００７〕に記述した、内袋前面４と内袋後面３の縦辺固定となる。
【０００９】  固定面の変形例として、先に、開口部折り面１、内袋前面４、内袋後面３、袋面２を、重ね合わせ、その後、重ね合わせた４面（開口部折り面１の、図面配置がない場合は、３面）の、各辺、各面を共に固定する。この固定面の利点は、固定器具に、穴をもつ固定器具や、おしゃれな狭み固定器具を用いる事により、デザイン作りや、装飾品等を取りつける穴を同時に作れる事である。
【００１０】  本発明の、四面内袋付手提げ袋を作る方法の図面を、図面外側より行った場合、四面外袋付手提げ袋となる。この場合、固定器具が、外側に表われてしまうので、〔０００９〕に記述した固定器具を利用するとよい。
【００１１】  固定面の変形例として、内袋前面４と内袋後面３を重ね合わせ、共に固定し、その固定した器具を覆う面をもった開口部折り面１を、内袋前面に重ね合わせる、固定面の方法。この固定面の利点は、四面内袋付手提げ袋の、内面も、きれいに仕上る。
【００１２】  四面内袋付手提げ袋の、折りたたみ方の１例として、両側面の縦中央を内側に入れ込みながら、底面横中央を、外側に引き出す様にして折りたたむ。
【００１３】  デザイン作りの方法は、先出願の、本発明の四面外袋付手提げ袋を作る方法の、デザイン作りの方法に、類似しているため略します。
【００１４】  本発明の四面内袋付手提げ袋を作る方法に、先出願の、本発明の四面外袋付手提げ袋を作る方法を取り入れる事により、四面内外袋付手提げ袋を１枚の図面より作る事ができる。
【図面の簡単な説明】
【００１５】
【図１】本発明の、四面内袋付手提げ袋を作る図面
【図２】本発明の、図１より作った、四面内袋付手提げ袋の正面及び内面の斜視図
【図３】本発明の、図２の四面内袋付手提げ袋の拡大中央断面図
【符号の説明】
【００１６】  １、開口部折り面
２、袋面
３、内袋後面
４、内袋前面
５、横辺
６、横辺
７ａ、７ｂ、７ｃ、７ｄ、内袋後面の固定する縦辺
８ａ、８ｂ、８ｃ、８ｄ、内袋前面の固定する縦辺
９、横辺
１０、各面のつなぎ面
１１、各面の側面
【図１】
2007313277.tif 000003
【図２】
2007313277.tif 000004
【図３】
2007313277.tif 000005